(57)【特許請求の範囲】
【請求項１】
撮像素子を用いて被写体像を撮像し、該撮像により取得される画像データを着脱可能な記録媒体に記録するデジタルカメラにおいて、前記撮像素子を介して取得した画像又は前記記録媒体に記録されている画像を表示する表示手段と、前記画像及び前記画像の印刷済みの有無の情報及び印刷枚数を含む印刷情報を記載するファイルを前記記録媒体から読み出す読出手段と、前記読出手段の読み出した画像に基づいて前記表示手段の画面上に１又は複数の画像を表示させる表示制御手段であって、前記読出手段の読み出したファイルの印刷情報に基づいて印刷済みの画像に対して前記画面上で前記印刷枚数に応じた図形的手法による識別表示を与える表示制御手段と、を備えたことを特徴とするデジタルカメラ。
【請求項２】
前記表示制御手段は、前記印刷済みの画像を前記印刷枚数に応じた影付き画像で表示させることを特徴とする請求項１のデジタルカメラ。
【請求項３】
前記デジタルカメラには前記記録媒体に記録されている画像データに基づいて画像を印刷するプリント手段が内蔵されており、
前記印刷情報は前記プリント手段による画像の印刷済みの有無の情報を含み、
前記印刷情報を記載するファイルを前記画像とともに前記記録媒体に記録することで前記画像に対して前記印刷情報を付加する印刷情報付加手段が内蔵されていることを特徴とする請求項１又は２のいずれかに記載のデジタルカメラ。
【請求項４】
画像の印刷済みの有無及び印刷枚数の情報を含む印刷情報を記述するファイルを前記画像とともに着脱可能な記録媒体に記録することによって前記印刷情報が付加された画像又は前記印刷情報が付加されていない画像をモニタに表示する画像表示方法において、前記記録媒体から前記画像及び前記ファイルを読み出し、前記読み出されたファイルの印刷情報に基づいて前記モニタに表示する画像が印刷済み画像か否かを判定し、前記判定結果及び前記印刷枚数に応じて前記モニタに表示する画像の図形的な表現方法を変え、前記モニタに表示された画像が印刷済み画像か否かを識別可能にしたことを特徴とする画像表示方法。
【請求項５】
前記印刷済み画像のみを前記印刷枚数に応じた影付き画像で表示することを特徴とする請求項４の画像表示方法。
【発明の詳細な説明】
【０００１】
【発明の属する技術分野】
本発明はデジタルカメラ及び画像表示方法に係り、特に撮影により取得した画像のプリント枚数等を指定できるプリント注文機能を備えたデジタルカメラにおけるプリント情報の表示技術に関する。
【０００２】
【従来の技術】
デジタルカメラでは、撮影により取得した画像はデジタル画像データとしてカメラ内部のメモリや着脱可能なＩＣカード等の記録媒体（リムーバブルメディア）に記録される。こうして記録された画像は、液晶モニタ等の表示装置に表示させることができるとともに、家庭用のパーソナルプリンタ等で印刷して鑑賞することもできる。また、最近では、画像データを記録した記録媒体を顧客より受け付け、これに記録されている画像をプリント出力して顧客に提供するというデジタル写真プリントサービスが開始されている。
【０００３】
プリントに関する情報を指定する手段として、特開平１０−１２６７２４号公報には、デジタルカメラで撮影したデジタル画像をモニタ画面上に一覧表示し、印刷画像を指定する装置が開示されている。
【０００４】
また、銀塩写真の分野では、磁気記録層を有する写真フイルムを用いてプリント枚数やタイトルなどの情報を磁気情報として記録し、プリントの際にこれら磁気情報を読み取ってプリント処理に活用する写真システムが提案されている。例えば、特開平８−９３１５号公報には磁気記録層を有する現像済みフイルムに記録されている画像をラインセンサで読み取り、そのフイルム画像をモニタに表示させる装置が示され、かかる装置においてフイルムカートリッジ内の画像の一覧を表示して、その一覧表示画面を見ながらプリント注文情報の追加・編集を行う方法が開示されている。
【０００５】
【発明が解決しようとする課題】
しかしながら、従来のデジタルカメラは、画像のプリント枚数情報を設定する場合、どの画像がプリント指定がなされているのか、また、プリント指定は１枚か複数枚か、更に、どの画像について既に印刷済みであるのかが判りにくいという欠点がある。
【０００６】
本発明はこのような事情に鑑みてなされたもので、画面上の画像を見るだけで、プリント指示の有無、複数枚のプリント指示、及び印刷済みの有無を容易に把握することができるデジタルカメラ及び画像表示方法を提供することを目的とする。
【０００７】
【課題を解決するための手段】
前記目的を達成するために本願請求項１に係る発明は、撮像素子を用いて被写体像を撮像し、該撮像により取得される画像データを記録媒体に記録するデジタルカメラにおいて、前記撮像素子を介して取得した画像又は前記記録媒体に記録されている画像を表示する表示手段と、前記記録媒体に記録する画像又は記録媒体に記録されている画像に対して印刷情報を付加する印刷情報付加手段と、前記撮像素子を介して取得した画像又は前記記録媒体に記録されている画像、及び前記印刷情報に基づいて前記表示手段の画面上に１又は複数の画像を表示させる表示制御手段であって、前記印刷情報に基づいて印刷指定された画像に対して前記画面上で図形的手法による識別表示を与える表示制御手段と、を備えたことを特徴としている。
【０００８】
本発明によれば、撮像素子を介して取得した画像又は記録媒体に保存されている画像データを表示手段の画面上に表示する際に画像の印刷情報が参照され、その印刷情報に基づいて表示形態に変化が与えられる。すなわち、印刷指定に係る画像については、画面上で容易に識別できるように図形的手法による識別表示が行われる。これにより、ユーザは画面上の画像を見るだけで直感的に印刷指定の有無を把握することができる。
【０００９】
前記表示制御手段は、本願請求項２に示すように前記印刷指定された画像を枠付き画像及び／又は影付き画像で表示させ、これにより印刷指定されていない画像との識別ができるようにしている。
【００１０】
また、前記表示制御手段は、本願請求項３に示すように複数枚の印刷指定された画像を複数枚が重なっているようにカスケード表示させることを特徴としている。このカスケード表示により、複数枚の印刷指定された画像であることが直感的に把握することができる。更に、前記表示制御手段は、本願請求項４に示すように印刷指定された印刷枚数を示す数字を表示させることを特徴としている。即ち、印刷枚数を示す数字も併せて表示することができる。
【００１１】
本願請求項５に係る発明は、撮像素子を用いて被写体像を撮像し、該撮像により取得される画像データを記録媒体に記録するデジタルカメラにおいて、前記撮像素子を介して取得した画像又は前記記録媒体に記録されている画像を表示する表示手段と、前記記録媒体に記録する画像又は記録媒体に記録されている画像に対して印刷情報を付加する印刷情報付加手段と、前記撮像素子を介して取得した画像又は前記記録媒体に記録されている画像、及び前記印刷情報に基づいて前記表示手段の画面上に１又は複数の画像を表示させる表示制御手段であって、前記印刷情報に基づいて印刷済みの画像に対して前記画面上で図形的手法による識別表示を与える表示制御手段と、を備えたことを特徴としている。
【００１２】
本発明によれば、撮像素子を介して取得した画像又は記録媒体に保存されている画像データを表示手段の画面上に表示する際に画像の印刷情報が参照され、その印刷情報に基づいて印刷済み画像に対して図形的手法を用いた識別表示が行われる。これにより、ユーザは画面上の画像を見るだけで直感的に印刷済みの画像と未印刷の画像とを判別することができる。
【００１３】
前記表示制御手段は、本願請求項６に示すように前記印刷済みの画像を枠付き画像及び／又は影付き画像で表示させることを特徴としている。
【００１４】
もちろん、前記デジタルカメラにおいて、印刷指定に係る画像及び印刷済みの画像を画面上で同時に把握できるように、印刷指定に係る画像の識別表示と、印刷済みの画像の識別表示を一つの画面上で混在させてもよい。
【００１５】
また、本願請求項７に示すように、前記デジタルカメラにおいて前記記録媒体に記録されている画像データに基づいて画像を印刷するプリント手段を内蔵する態様もある。かかる態様によれば、当該内蔵プリンタによって印刷を行った場合には、その印刷した画像データに対して「印刷済み」であることを示す印刷情報が付与されることになる。
【００１６】
本願請求項８に係る発明は、印刷情報が付加された画像又は印刷情報が付加されていない画像をモニタに表示する画像表示方法において、前記印刷情報に基づいて前記モニタに表示する画像が印刷指定された画像か否かを判定し、前記判定結果に応じて前記モニタに表示する画像の図形的な表現方法を変え、前記モニタに表示された画像が印刷指定された画像か否かを識別可能にしたことを特徴としている。前記図形的な表現方法の例としては、本願請求項９に示すように前記印刷指定された画像のみを枠付き画像及び／又は影付き画像で表示したり、本願請求項１０に示すように複数枚の印刷指定された画像を複数枚が重なっているようにカスケード表示させることが考えられる。
【００１７】
また、本願請求項１１に示すように前記図形的な表現方法を変えて表示された画像とともに、印刷枚数を示す数字を表示し、これにより複数枚の印刷指定の場合でも別途枚数を確認することができるようにしている。
【００１８】
本願請求項１２に係る発明は、更に前記モニタに表示された画像に対して印刷情報を付加、変更又は削除するステップと、前記画像とともに印刷情報を記録媒体に記録するステップと、を含むことを特徴としている。
【００１９】
本願請求項１３に係る発明は、印刷情報が付加された画像又は印刷情報が付加されていない画像をモニタに表示する画像表示方法において、前記印刷情報に基づいて前記モニタに表示する画像が印刷済み画像か否かを判定し、前記判定結果に応じて前記モニタに表示する画像の図形的な表現方法を変え、前記モニタに表示された画像が印刷済み画像か否かを識別可能にしたことを特徴としている。前記図形的な表現方法の例としては、本願請求項１４に示すように前記印刷指定された画像のみを枠付き画像及び／又は影付き画像で表示することが考えられる。
【００２０】
【発明の実施の形態】
以下添付図面に従って本発明に係るデジタルカメラ及び画像表示方法の好ましい実施の形態について詳説する。
【００２１】
図１乃至図３は本発明の実施の形態に係るデジタルカメラの外観を示した正面図、平面図、及び背面図である。図１に示すようにデジタルカメラ１０の正面には、撮影レンズ１２、ファインダー窓１４、ストロボ１６、ストロボ調光センサー１８、セルフタイマーＬＥＤ２０が設けられている。撮影レンズ１２の後方には撮像素子に相当するＣＣＤ（図１中不図示、図４中符号５２として記載）が配置されている。
【００２２】
図２に示すようにデジタルカメラ１０の上面には、レリーズボタン２２と電源スイッチ２４が設けられる。レリーズボタン２２は２段階式に構成され、レリーズボタン２２を軽く押して止める「半押し」の状態で自動ピント合わせ（ＡＦ）及び自動露出制御（ＡＥ）が作動してＡＦとＡＥをロックし、「半押し」から更に押し込む「全押し」の状態で撮影が実行される。
【００２３】
図３に示すようにデジタルカメラ１０の背面には、文字表示用液晶パネル２６、液晶モニタ２８、モードスイッチ３０、十字カーソルボタン（上／下キー及び左／右キー）３２、及びファインダー３４等が設けられている。文字表示用液晶表示パネル２６は、カメラの状態や撮影モード等に関する情報を表示するものであり、例えば、バッテリーチェック表示、撮影可能コマ数や再生コマ番号の表示、ストロボ発光の有無、マクロモード表示、記録画質（クオリティー）表示、画素数表示等の情報が表示される。
【００２４】
文字表示用液晶表示パネル２６の脇にはストロボボタン３６及びマクロボタン３８が配置され、ストロボボタン３６は、撮影の状況に合わせてストロボを発光させたり、発光を禁止する設定ボタンであり、マクロボタン３８は、近距離（マクロ）撮影モードに設定するボタンである。
【００２５】
液晶モニタ２８は、ＣＣＤ５２を介して撮影した画像や、本カメラに装填されたメモリカード（図３中不図示、図４中符号６４として記載）から読み出した再生画像等を表示するものであり、後述するプリント情報の設定もこの液晶モニタ２８を用いて行われる。液晶モニタ２８の上部には、シフトボタン４０、表示ボタン４２、キャンセルボタン４４及びメニュー／実行ボタン４６が配置される。
【００２６】
前記モードスイッチ３０及び十字カーソルボタン３２は、中央のボタン部材とその外周に配置されたリング部材からなり、外周のモードスイッチ３０は、時計回転方向及び反時計回転方向の両方向に回動自在になっている。
【００２７】
モードスイッチ３０はカメラの機能（モード）を変更するもので、このモードスイッチ３０を回動操作することにより、例えば、撮影を行う撮影モード、撮影した画像を再生して各種設定を行う再生モード等のモードの選択を行うことができる。
【００２８】
十字カーソルボタン３２は、上下左右のいずれかの縁部を押圧することによって十字カーソルボタン３２が傾き、対応する４方向（上、下、右、左）の指示を入力できるようにしたもので、モード等の設定における各種設定項目の選択や、設定内容の変更を指示する操作ボタンとして使用されるとともに、電子ズームの倍率調整、ズーム中心の移動指示、再生コマの送り／戻しを指示する手段として用いられる。
【００２９】
また、図３には示されていないがデジタルカメラ１０の一側面には、メモリカード６４を装着するホルダーが設けられている。メモリカードの種類として例えばスマートメディアが使用される。なお、記録媒体はこれに限らず、ＰＣカード、フラッシュメモリーカード、ＩＣカード、フロッピーディスク、光磁気ディスク（ＭＯ）、スティックメモリ等の他の種類であってもよい。
【００３０】
メモリカード６４は、ＣＣＤ５２で撮影された画像を保存しておくものであるが、本デジタルカメラ１０ではＤＰＯＦ（Digital Print Order Format）規格の記録形式に従って、ＣＣＤ５２で撮影された各コマの画像データを画像ファイルとして記録する他に、各コマの画像のプリント情報をプリント情報ファイル（ＤＰＯＦファイル）として記録する。プリント情報は、メモリカード６４に記録された画像をプリントする際に参照されるもので、例えば、プリント枚数やトリミング等に関する情報、及びプリント済みの有無の情報等が記録可能で、各コマのプリント情報は１つのプリント情報ファイルにテキストファイル形式で記載されるようになっている。尚、本実施の形態では、プリント情報としてプリント枚数（注文情報という）の設定が行えるものとする。
【００３１】
図４はデジタルカメラ１０の構成を示したブロック図である。デジタルカメラ１０は、電子撮像装置としての基本的な構成、すなわち、撮影レンズ１２、絞り５０、固体撮像素子（ＣＣＤ）５２、アナログ信号処理回路５４、Ａ／Ｄ変換器５６、バッファメモリ５８、ＹＣ処理回路６０、圧縮伸張回路６２、メモリカード６４、メインＣＰＵ（中央演算処理装置）６６、画像表示用ＬＣＤ（液晶モニタ）２８等を有している。また、本例のデジタルカメラ１０において特徴的な構成として、プリントの注文履歴情報が格納されるＥＥＰＲＯＭ６８、一覧画像生成回路７０、複数枚画像生成回路７２、カメラ内蔵プリンタ（プリント手段）７４を有している。
【００３２】
メインＣＰＵ６６は、レリーズボタン２２、並びにモードスイッチ３０、十字カーソルボタン３２等のスイッチ部７６からの信号入力に基づいて各回路を総括的に制御する。いま、電源スイッチ２４をオンにすると、メインＣＰＵ６６は電源コントロール回路７８にコマンドを送り、一次電池又は二次電池から電源コントロール回路７８を介してカメラの各部に電源を供給し、各回路を動作可能にする。
【００３３】
ここで、モードスイッチ３０を操作してカメラを撮影モードにし、レリーズボタン２２を押すと、メインＣＰＵ６６はこれを検知し、測光・測距ＣＰＵ８０にコマンドを送る。測光・測距ＣＰＵ８０は、レンズ駆動部を介してフォーカス制御を行うとともに、絞り５０やＣＣＤ５２での電荷蓄積時間を制御することにより露出制御を行う。クロック発生回路８４は測光・測距ＣＰＵ８０の制御に従ってＣＣＤ５２、アナログ処理回路５４及びＡ／Ｄ変換器５６にクロックパルスを出力し、各回路の同期をとっている。なお、ズーム操作スイッチの操作指令に応じて、撮影レンズ１２をズーム駆動することができるようになっている。
【００３４】
撮影レンズ１２及び絞り５０を通してＣＣＤ５２の受光面に入射した被写体光は、ここでＣＣＤ５２の各センサに入射する光量に応じた量の信号電荷に変換される。この信号電荷は、クロック発生回路（ＣＧ）８２から与えられるクロックパルスに基づいて信号電荷に応じた電圧信号（画像信号）として順次読み出される。ＣＣＤ５２から出力された画像信号は、アナログ信号処理回路５４に加えられる。ＣＣＤ１２から出力された画像信号は、アナログ処理回路１４に加えられ、ここでホワイトバランス調整やガンマ補正等が行われる。このアナログ処理回路５４でアナログ処理された画像信号は、Ａ／Ｄ変換器５６でデジタル信号に変換された後、一旦バッファメモリ５８に保存される。
【００３５】
また、測光・測距ＣＰＵ８０は、被写体が暗い場合にストロボ制御回路８４を動作させる。ストロボ制御回路８４は、図示しないメインコンデンサの充電制御や、キセノン管８６への放電（発光）タイミング等を制御する。
【００３６】
ＹＣ処理回路６０は、メインＣＰＵ６６からのコマンドに従ってバッファメモリ５８上の画像信号をＹＣ信号（輝度信号Ｙとクロマ信号Ｃ）に変換し、このＹＣ信号を再びバッファメモリ５８に保存する。その後、メインＣＰＵ６６は、圧縮伸張回路６２にコマンドを送り、これにより圧縮伸張回路６２はバッファメモリ１８上のＹＣ信号を所定の形式で圧縮する。圧縮された画像データはカードインタフェース８８を介してメモリカード６４に記録される。
【００３７】
また、バッファメモリ５８に記憶されたＹＣ信号は、システムバス９０を介してＹＣ→ＲＧＢ変換回路９２に提供され、ここでＲＧＢの画像信号に変換される。そして、ＲＧＢの画像信号はＬＣＤドライバ９４を介して液晶モニタ２８に出力される。これにより、撮影モード時にはＣＣＤ５２で撮像された画像が液晶モニタ２８に表示される。また、再生モード時にはメモリカード６４に記録されている画像が圧縮伸張回路６２によって伸張処理された後、液晶モニタ２８に出力され、液晶モニタ２８に再生画像が表示されるようになっている。
【００３８】
次に、上記構成からなるデジタルカメラ１０におけるプリント情報の表示形態及びプリント枚数の指定方法について説明する。
【００３９】
図５にはデジタルカメラ１０を再生モードに設定した時に液晶モニタ２８に表示される記録画像の一覧表示画面の例が示されている。なお、同図では説明の便宜のために液晶モニタ２８の画面を大きく描き、モードダイヤル等は省略している。図５に示したように、デジタルカメラ１０を再生モードに設定すると、メモリカード６４に格納されている画像ファイルの内容が読み出され、一覧画像生成回路７０において所定の処理が施され、各画像ファイルの内容が液晶モニタ２８の画面上に縮小画像として配列表示される。
【００４０】
図５では３×３の９分割表示の様子が示されているが、縮小画像の配列形態はこれに限らず、２×２の４分割表示、３×２の６分割表示、４×４の１６分割表示など種々の形態が可能であり、液晶モニタ２８の画面サイズとの関係で適宜設定が可能である。もちろん、メモリカード６４内の全ての画像ファイルの内容を１画面で表示しきれない場合には、ページを分けて表示したり、スクロール表示等によって対応する。
【００４１】
かかる一覧表示において、各画像ファイルにおけるプリント注文情報の有無、プリント枚数、及びプリント済みの有無に応じて、その画像表示に明確な差異が与えられる。すなわち、プリント枚数が１枚に設定されている画像には所定の色彩（例えば、黄色）によって画像を囲む枠線９８が付加される。
【００４２】
また、複数枚のプリント指定がなされている画像には、前記枠線９８が表示されるとともに、符号１００で示したように、その指定枚数に応じて用紙が重なっている様子を図形的に表す表示（以下、カスケード表示という）が付加される。このカスケード表示は、図形的な手法によって見る者に複数枚の印刷物を直感的にイメージさせることができる表示内容となっており、その表示用データは図４に示した複数枚画像生成回路７２によって生成される。カスケード表示について、プリント枚数を詳細に表示する代わりに、プリント枚数が、多い、やや多い、少ないの３段階で表示してもよい。また、例えば、プリント指定枚数を３で除算して得た値の分だけ用紙の重なり具合を示すようにしてもよい。
【００４３】
その一方、プリント枚数の指定が与えられていない画像ファイルについては、上述のような枠線９８等が表示されない。
【００４４】
また、既にプリント済みの画像ファイルについては、前記枠線９８の色彩を変えて、別の色彩（例えば、青色）の枠線によってその画像を囲むようにする。こうすることで、一覧表示画面を見るだけで、プリント枚数の指定の有無や、複数枚プリントの指定に係る画像ファイル、及びプリント済みの有無を一見して把握することができる。そして、この一覧表示画面において、十字カーソルボタン３２を操作して所望の画像ファイルを選択することによってプリント注文情報編集画面に切り替わり、プリント枚数の指定や枚数の変更などを行うことができるようになっている。
【００４５】
図６は再生モードにおけるメインＣＰＵ６６の処理手順を示すフローチャートである。同図において、電源スイッチ２４がオンされ、処理がスタートすると（ステップＳ６１０）、先ず、メインＣＰＵ６６はメモリカード６４に格納されている情報内容の読み込み処理を行う（ステップＳ６１２）。そして、読み出しファイルを指定するファイルポインタの初期化を行う（ステップＳ６１４）。例えば、指定ファイル番号＝０に設定する。
【００４６】
次いで、カメラが再生モードに設定されているか否かのモード判定を行う（ステップＳ６１６）。モードスイッチ３０が回されて再生モード以外の位置に合わされている場合には、再生モードの処理ルーチンを終了して（ステップ６２０）、設定モードに応じて該当するモードの処理ルーチンに遷移することになる。
【００４７】
ステップ６１６においてモードスイッチ３０が再生モードにセットされている場合は、一覧画面表示処理を実行する（ステップＳ６１８）。一覧画面表示処理は、メモリカード６４に格納されている全画像ファイルの内容を液晶モニタ２８の画面上に表示させる処理である。この処理によって、図５で説明したように、各画像ファイルの画像が縮小画像としてモニタ画面上に複数個、所定の配列形態（例えば、３×３の９分割表示）で同時表示される。
【００４８】
図７は一覧画面表示処理の手順を示すフローチャートである。同図において一覧画面表示のサブルーチンがスタートすると（ステップＳ７１０）、先ずファイルポインタの示すファイル情報を取り込む（ステップＳ７１２）。当初ファイルポインタは初期値（ゼロ）に設定されているため、最初にこのステップに到来した時にはファイル番号＝０のファイル情報が取り込まれることになる。
【００４９】
次いで、その取得したファイル情報中にプリントの注文情報が含まれているか否かを判定する（ステップＳ７１４）。もし、注文情報が含まれていれば、続いて、その注文情報において複数枚のプリント注文が設定されているか否かの判定を行う（ステップＳ７１８）。ここで複数枚の注文指定がある時は、複数枚画像生成回路７２にコマンドを与えて、当該画像ファイルについて図５の符号１００に示した複数枚指定を表す所定の表示（複数枚画像表示）を行う（ステップＳ７２２）。
【００５０】
ところで、Ｓ７１４において注文情報が含まれていないと判断した時は、ステップＳ７１６に分岐して、プリント注文情報が設定されていないことを示す所定の表示（本例の場合、枠線９８を付加しない縮小画像のみの表示）を行う。また、ステップＳ７１８においてプリント枚数が１枚に設定されている時は、ステップＳ７２０に分岐して、１枚分のプリント指定が設定されていることを示す所定の表示（本例の場合、縮小画像に枠線９８を付加した表示）を行う。
【００５１】
上記ステップＳ７１６、ステップＳ７２０、又はステップＳ７２２の何れかの処理を実行した後は、ステップＳ７２４に進み、当該画像ファイルが印刷済みであるか否かを判定する。
【００５２】
メモリカード６４をデジタル写真プリントサービス店に渡して、プリントを依頼すると、その返却時にはプリント済みの画像ファイルに対して「プリント済み」であることを示す情報が付加され、この情報がメモリカードに書き込まれる。また、かかる印刷済みの有無を示す情報（以下、印刷履歴情報という）は、カメラの内蔵プリンタ７４によってプリントした時にも付与される。メインＣＰＵ６６は前記印刷履歴情報に基づいて本ステップ７２４の判定を行う。なお、メモリカード６４から読み込んだ各画像ファイルの印刷履歴情報はＥＥＰＲＯＭ６８に格納される。
【００５３】
ステップＳ７２４において、印刷済みであると判定した時は、次いで複数枚のプリントが行われたものであるか否かを判定する（ステップＳ７２６）。もし、複数枚のプリントを実施した画像ファイルである時は、複数枚印刷済みであることを示す所定の表示（本例の場合、符号１００で示した図形手法による表示と、枠線９８の色彩を青色に変更した枠表示）が行われる（ステップＳ７２８）。その一方、ステップＳ７２６において、１枚だけプリントした画像ファイルである時は、ステップＳ７３０に分岐して、１枚だけ印刷済みであることを示す所定の表示（本例の場合、枠線９８の色彩を青色に変更した枠表示）が行われる。ステップＳ７２８又はステップＳ７３０の処理の後はステップＳ７３２に進む。なお、ステップＳ７２４で未印刷であると判定した時は、印刷済みを示す表示処理を実行することなくステップＳ７３２に至る。
【００５４】
ステップＳ７３２では、一覧画面として表示すべき全ての画像ファイルを読み込んだか否かを判定する（ステップＳ７３４）。表示すべき画像ファイルが残っている場合には、ファイルポインタを更新して（ステップＳ７３４）、ステップＳ７１２に戻る。
【００５５】
一覧画像として表示する全画像ファイルについて上記の処理（ステップＳ７１２〜ステップＳ７３４）が繰り返され、一覧表示数に到達した時点で処理ルーチンを抜け、一覧画面表示処理を終了する（ステップＳ７３６）。こうして、図５で説明したような一覧表示画面が得られる。
【００５６】
次に、本デジタルカメラ１０におけるプリント枚数の設定手順を説明する。
【００５７】
図８はメインＣＰＵ６６におけるプリント注文情報の編集制御の手順を示すフローチャートである。図５で説明した一覧表示の画面で所望の画像を選択すると、図８に示した注文情報編集処理がスタートする（ステップＳ８１０）。先ず、メインＣＰＵ６６はＬＣＤドライバー９４にコマンドを与えて、液晶モニタ２８上にプリント情報のメニュー項目を表示させる。ユーザはこのメニュー画面をみながら、十字カーソルボタン３２を操作して所望の編集項目を選択することになる。
【００５８】
次いで、ユーザによって編集項目が選択されたか否かの判定を行う（ステップＳ８１４）。例えば、プリント枚数は、十字カーソルボタン３２の上下方向の指定操作で増加又は減少させることができる。ここで、ユーザがプリント枚数を０に設定すればプリント指定は解除され、１以上に設定すればその枚数のプリント指定が設定される。プリント枚数を設定した後、メニュー／実行ボタン４６を押すと、当該画像ファイルにおけるプリント枚数の入力が確定する。なお、メニュー／実行ボタン４６を押す前（プリント枚数を確定する前）にキャンセルボタン４４を押すと、入力内容はキャンセルされ、もとのプリント枚数の設定が維持されることになる。
【００５９】
プリント枚数の入力が確定したら、画像ファイルに注文情報の設定内容、つまり、プリント枚数の設定値の書き込み処理を行う（ステップＳ８１６）。そして、この新たな設定情報に基づいて一覧表示画面の表示を変更し、プリント注文情報を反映させた画像表示とする（ステップＳ８１８）。すなわち、プリント注文が解除された時には枠線９８を消去し、プリント枚数が１枚に設定された時は枠線９８を付加し、複数枚プリントが指定された時は、符号１００で示した図形表示を付加する。その後、編集操作が完了したか否かを判定し（ステップＳ８２０）、編集操作が継続される時はステップＳ８１４に戻って、選択にかかる画像ファイルの注文情報の書き替え処理が行われる。
【００６０】
ステップＳ８１４で編集が完了したと判断した時は、注文情報メニュー項目を消去して（ステップＳ８２２）、本処理ルーチンを終了する（ステップＳ８２４）。なお、ステップＳ８１２においてユーザが注文情報の編集項目を何も選択しない時は、ステップＳ２２にジャンプし、本処理ルーチンを終了することになる。
【００６１】
本実施の形態では、電源投入時の最初（一回目）の一覧表示において、プリント枚数の指定状況と、印刷済みの有無とを直感的に把握可能な形態による一覧画面を自動的に表示させているが、これに限らず、ユーザの操作に応じてプリント情報の詳細を確認するためのモードに設定された時に随時、図５に示したような一覧画面を表示してもよい。
【００６２】
また、上記説明では、プリント枚数の指定状況と、印刷済みの有無（印刷履歴）とが同時に表示される一覧画面表示の形態を説明したが、プリント枚数の指定状況を把握可能な一覧画面と、印刷履歴を把握可能な一覧画面とを別々に構成し、ユーザの選択に応じて画面を切り替えて表示するようにしてもよい。
【００６３】
図９には印刷履歴を示す一覧画面の一例が示されている。同図に示すように、印刷済みの画像ファイルについては、その印刷枚数に応じた用紙の影を付加する。この影の量について、プリント枚数が、多い、やや多い、少ないの３段階表示にしたり、プリント枚数に応じて影に色彩を付加したり、濃淡による変化を加えてもよい。また、未印刷の画像ファイルについては、上記影が付加されない。このように一覧画面中で印刷済み画像と未印刷画像との表示に差異を与えることにより、一覧表示を見るだけで、容易に印刷済みの有無を把握することができる。
【００６４】
上記実施の形態では、デジタルカメラを再生モードにし、かつ１度に９つのコマ画像を表示するマルチ再生時におけるプリント情報の表示形態及びプリント枚数の指定方法について説明したが、これに限りず、再生モードで１つのコマ画像を表示する１コマ再生時において、又は撮影モードでの撮影画像の確認画面上で上記と同様にプリント情報の表示及びプリント枚数の指定を行ってもよい。
【００６５】
図１０は撮影モードでの撮影画像の確認画面上でプリント指示を行う実施の形態を示すフローチャートである。
【００６６】
同図に示すように、液晶モニタへの動画表示などの撮影前処理を行い（ステップＳ１０１）、この液晶モニタの表示画面を見ながら構図等を決める。その後、シャッターボタンが押されると（ステップＳ１０２）、絞り値、シャッター速度等を制御する露出制御や、ＣＣＤから出力された画像信号の処理等の撮影処理を行い、その撮影処理して得た画像データに基づいて撮影画像を液晶モニタに表示させる（ステップＳ１０３）。
【００６７】
ユーザは液晶モニタに表示された撮影画像を見ながらその撮影画像を記録するか否かを決定し（ステップＳ１０４）、撮影画像の記録を指示すると、その撮影画像を示す画像データがメモリカードに記録される（ステップＳ１０５）。
【００６８】
続いて、ユーザは前記記録した撮影画像をプリントするか否かを決定し（ステップＳ１０６）、撮影画像をプリントする場合には、プリント枚数を入力する（ステップＳ１０７）。そして、プリント枚数が確定すると、前記記録した画像データの付加情報としてプリント情報が記録される（ステップＳ１０８）。また、プリント枚数が確定すると、液晶モニタに表示されていた撮影画像の表示形態を変更させる（ステップＳ１０９）。
【００６９】
図１１（Ａ）及び（Ｂ）はそれぞれプリント指示前及びプリント指示後に液晶モニタに表示される画像の第１の表示例を示している。尚、図１１に示すデジタルカメラにおいて、１１０は液晶モニタ、１１２は十字キー、１１４はメニューキー、１１６は実行キーである。
【００７０】
図１１（Ｂ）に示すようにプリント指示された画像は、白枠１１８によって縁取られるようになる。即ち、白枠付き画像に変更することにより、プリント指示されていない画像と区別できるようにしている。尚、デジタル画像のプリントは、ごく一部の例外を除いて白枠付きのプリントとなるため、白枠付き画像への変更は、プリント指示された画像であることがイメージしやすい。もちろん、白枠に限らず、他の色の枠でもよい。
【００７１】
図１２（Ａ）及び（Ｂ）はそれぞれプリント指示前及びプリント指示後に液晶モニタに表示される画像の第２の表示例を示している。
【００７２】
図１２（Ｂ）に示すように白枠１１８によって画像を縁取り、かつ影１２０を付けてプリント指示された画像であることを強調している。
【００７３】
図１３（Ａ）及び（Ｂ）はそれぞれプリント指示前及びプリント指示後に液晶モニタに表示される画像の第３の表示例を示している。
【００７４】
図１３（Ｂ）に示すように画像に影１２０のみを付けてプリント指示された画像であることを示している。尚、上記影１２０は、図１３（Ｂ）でははっきりと表示されているが、実際の影のように縁が多少ぼやけて表現されていることが望ましい。
【００７５】
また、図１４乃至図１８はそれぞれ複数枚のプリント指示がなされた場合の表示例を示している。
【００７６】
図１４に示す表示例では、白枠付きの画像が複数枚重なって見えるようにカスケード表示されており、図１５に示す表示例では、枠無しの画像が複数枚重なって見えるようにカスケード表示されている。
【００７７】
また、図１４及び図１５に示す表示例では、下の画像も上の画像と同じように表現されているが、デジタルカメラの性能等によりこのような表現が難しい場合には、図１６又は図１７に示すように下の画像を白又は特定色の一色で表現してもよい。尚、この場合には、図１３又は図１４で示した影１２０と明確に区別されるように表現する必要がある。
【００７８】
更に、複数枚のプリント指示でも２枚程度までは画像の重なりで区別できるが、図１８に示すように３枚以上になると、枚数の判別が難しくなる。この場合には、図１８に示すようにプリント枚数を示す数字を付記するとよい。ただし、プリント枚数を示す数字は、画像のコマ番号と明確に区別できるように表示することが望ましい。
【００７９】
尚、図１１乃至図１８に示したプリント指定された画像の表示形態は、１コマ再生時の画面上で表現してもよいし、マルチ再生時の画面上で表現してもよい。
【００８０】
【発明の効果】
以上説明したように本発明によれば、撮像素子を介して取得した画像又は記録媒体に保存されている画像データを表示手段の画面上に表示する際に、画像の印刷情報を参照して印刷指定に係る画像及び／又は印刷済みの画像に対して図形的手法による識別表示を行うようにしたので、ユーザは画像を見るだけで直感的にプリント指示の有無、複数枚のプリント指示、及び印刷済みの有無を把握することができる。
【図面の簡単な説明】
【図１】本発明の実施の形態に係るデジタルカメラの外観を示した正面図
【図２】図１に示したデジタルカメラの平面図
【図３】図１に示したデジタルカメラの背面図
【図４】本発明の実施の形態に係るデジタルカメラの構成を示したブロック図
【図５】本例のデジタルカメラにおける一覧表示画面の表示例を示した図
【図６】本例のデジタルカメラの再生モードにおける処理の流れを示すフローチャート
【図７】本例のデジタルカメラにおける一覧画面表示処理の流れを示すフローチャート
【図８】本例のデジタルカメラにおける注文情報編集処理の流れを示すフローチャート
【図９】本例のデジタルカメラにおける印刷済み画像表示の例を示す図
【図１０】本例のデジタルカメラにおける撮影モードでの撮影画像の確認画面上でプリント指示を行う実施の形態を示すフローチャート
【図１１】本例のデジタルカメラにおけるプリント指示前及びプリント指示後に液晶モニタに表示される画像の第１の表示例を示す図
【図１２】本例のデジタルカメラにおけるプリント指示前及びプリント指示後に液晶モニタに表示される画像の第２の表示例を示す図
【図１３】本例のデジタルカメラにおけるプリント指示前及びプリント指示後に液晶モニタに表示される画像の第３の表示例を示す図
【図１４】本例のデジタルカメラにおいて複数枚のプリント指示がなされた場合の表示例を示す図
【図１５】本例のデジタルカメラにおいて複数枚のプリント指示がなされた場合の表示例を示す図
【図１６】本例のデジタルカメラにおいて複数枚のプリント指示がなされた場合の表示例を示す図
【図１７】本例のデジタルカメラにおいて複数枚のプリント指示がなされた場合の表示例を示す図
【図１８】本例のデジタルカメラにおいて複数枚のプリント指示がなされた場合の表示例を示す図
【符号の説明】
１０…デジタルカメラ、２８、１１０…液晶モニタ（表示手段）、３２…十字カーソルボタン（印刷情報付加手段）、４６…メニュー／実行ボタン（印刷情報付加手段）、５２…ＣＣＤ（撮像素子）、６４…メモリーカード（記録媒体）、６６…メインＣＰＵ（表示制御手段）、７０…一覧画像生成回路、７２…複数枚画像生成回路、７４…内蔵プリンタ（プリント手段）
【図１】
0004456206.tif 000002
【図２】
0004456206.tif 000003
【図３】
0004456206.tif 000004
【図４】
0004456206.tif 000005
【図５】
0004456206.tif 000006
【図６】
0004456206.tif 000007
【図７】
0004456206.tif 000008
【図８】
0004456206.tif 000009
【図９】
0004456206.tif 000010
【図１０】
0004456206.tif 000011
【図１１】
0004456206.tif 000012
【図１２】
0004456206.tif 000013
【図１３】
0004456206.tif 000014
【図１４】
0004456206.tif 000015
【図１５】
0004456206.tif 000016
【図１６】
0004456206.tif 000017
【図１７】
0004456206.tif 000018
【図１８】
0004456206.tif 000019